(57)【要約】【課題】撮影前の撮影準備動作（撮影設定の調整）の結果に基づいて簡易に再び撮影準備動作の指示を行うことができるようにする。【解決手段】システム制御部は、撮像部による撮影の際に特定の撮影設定の調整を行い、当該撮影設定に基づいて撮像部による撮影を行い、画像データを記録媒体に記録する撮影処理を行う。システム制御部はスルー画像が表示される表示部２８に対するタッチ操作を検出し、タッチダウンを検知すると当該タッチダウンの位置を含む所定の範囲の領域を拡大画像３０６として表示部に表示し、かつ撮影設定の調整のやり直しを指示するための表示アイテム３０４を表示部に表示するし、スルー画像に対するタッチダウンを検知しその位置に応じて撮影設定の調整を行い、表示アイテムに対するタッチ操作に応じて撮影設定の調整を再び行って、タッチダウンがなくなったことを検出すると撮影処理を行う。【選択図】図３
2014110596.tif 000002
【特許請求の範囲】
【請求項１】
被写体を撮影して画像データを得る撮像手段と、
前記撮像手段による撮影の際に特定の撮影設定の調整を行う撮影準備手段と、
前記撮影準備手段によって調整された撮影設定に基づいて前記撮像手段による撮影を行って、当該撮影の結果として得られた画像データを記録媒体に記録する撮影処理を行う撮影処理手段と、
前記画像データに応じたスルー画像が表示される表示手段に対するタッチ操作を検出可能な検出手段と、
前記表示手段に表示されたスルー画像に対するタッチダウンが前記検出手段により検知されると、当該タッチダウンされた位置を含む所定の範囲の領域を拡大画像として前記表示手段に拡大して表示し、かつ前記撮影準備手段による前記撮影設定の調整のやり直しを指示するための表示アイテムを前記表示手段に表示するように制御する表示制御手段と、
前記表示手段に表示されたスルー画像に対する前記タッチダウンが前記検出手段により検知されると、当該タッチダウンされた位置に応じて前記撮影準備手段による前記撮影設定の調整を行い、該タッチダウンに応じて前記表示制御手段によって表示された前記表示アイテムに対するタッチ操作に応じて、前記撮影準備手段による前記撮影設定の調整を再び行って、前記タッチダウンの後に前記タッチダウンがなくなったことが前記検出手段により検出されると、前記撮影処理手段による前記撮影処理を行うように制御する制御手段と、
を有することを特徴とする撮像装置。
【請求項２】
前記表示制御手段は、前記タッチダウンされた位置および前記拡大画像が表示される領域を除く領域に前記表示アイテムを表示することを特徴とする請求項１に記載の撮像装置。
【請求項３】
前記表示制御手段は、前記タッチダウンされた位置に応じた前記撮影準備手段による前記撮影設定の調整が所定の調整となっていない場合に、前記表示手段に前記拡大画像および前記表示アイテムを表示することを特徴とする請求項１又は２に記載の撮像装置。
【請求項４】
前記タッチダウンされた位置に応じた前記撮影準備手段による前記撮影設定の調整が所定の調整となっていると、前記表示制御手段は前記表示手段に前記拡大画像および前記表示アイテムを表示しないことを特徴とする請求項１乃至３のいずれか１項に記載の撮像装置。
【請求項５】
前記制御手段は、前記タッチダウンされた位置に応じた前記撮影準備手段による前記撮影設定の調整が所定の調整となっていると、前記タッチダウンの後に前記タッチダウンがなくなったことが前記検出手段により検出されると、前記撮影処理手段による前記撮影処理を行うように制御することを特徴とする請求項４に記載の撮像装置。
【請求項６】
前記特定の撮影設定はＡＦ、ＡＥ、およびＡＷＢの少なくとも一つである自動撮影設定であり、
前記表示アイテムは前記撮影準備手段による前記自動撮影設定の調整のやり直しを指示するためのアイテムであることを特徴とする請求項１乃至５のいずれか１項に記載の撮像装置。
【請求項７】
前記特定の撮影設定はＡＦ、ＡＥ、およびＡＷＢの少なくとも一つである自動撮影設定であり、
前記表示アイテムは前記撮影準備手段にマニュアルによる前記撮影設定の調整のやり直しを指示するためのアイテムであることを特徴とする請求項１乃至５のいずれか１項に記載の撮像装置。
【請求項８】
被写体を撮影して画像データを得る撮像手段を備える撮像装置の制御方法であって、
前記撮像手段による撮影の際に特定の撮影設定の調整を行う撮影準備ステップと、
前記撮影準備ステップで調整された撮影設定に基づいて前記撮像手段による撮影を行って、当該撮影の結果として得られた画像データを記録媒体に記録する撮影処理を行う撮影処理ステップと、
前記画像データに応じたスルー画像が表示される表示手段に対するタッチ操作を検出する検出ステップと、
前記表示手段に表示されたスルー画像に対するタッチダウンが前記検出ステップで検知されると、当該タッチダウンされた位置を含む所定の範囲の領域を拡大画像として前記表示手段に拡大して表示し、かつ前記撮影準備ステップにおける前記撮影設定の調整のやり直しを指示するための表示アイテムを前記表示手段に表示するように制御する表示制御ステップと、
前記表示手段に表示されたスルー画像に対する前記タッチダウンが前記検出ステップで検知されると、当該タッチダウンされた位置に応じて前記撮影準備ステップにおける前記撮影設定の調整を行い、該タッチダウンに応じて前記表示制御ステップで表示された前記表示アイテムに対するタッチ操作に応じて、前記撮影準備ステップで前記撮影設定の調整を再び行って、前記タッチダウンの後に前記タッチダウンがなくなったことが前記検出ステップで検出されると、前記撮影処理ステップによる前記撮影処理を行うように制御する制御ステップと、
を有することを特徴とする制御方法。
【請求項９】
コンピュータを、請求項１乃至７のいずれか１項に記載された撮像装置の各手段として機能させるためのプログラム。
【請求項１０】
コンピュータを、請求項１乃至７のいずれか１項に記載された撮像装置の各手段として機能させるためのプログラムを格納したコンピュータが読み取り可能な記憶媒体。
【発明の詳細な説明】
【技術分野】
【０００１】
本発明は、タッチパネルを有する撮像装置、その制御方法、およびプログラム、並びに記憶媒体に関し、特に、タッチ操作によって撮影を行う手法に関する。
【背景技術】
【０００２】
デジタルカメラなどの撮像装置において、その表示部にタッチパネルが設けられたものがある。この種の撮像装置では、表示部に表示された被写体画像にタッチ（タッチダウン）することによってフォーカスおよび露出などを合わせるべき被写体が指定されて、オートフォーカス（ＡＦ）処理および自動露出（ＡＥ）処理など撮影準備動作が行われる。そして、タッチパネルにタッチした指を離す（タッチアップ）と、撮像装置は撮影処理を行う（特許文献１参照）。
【先行技術文献】
【特許文献】
【０００３】
【特許文献１】特開２０１１−１９３２４９号公報
【発明の概要】
【発明が解決しようとする課題】
【０００４】
ところが、上述の特許文献１に記載の手法では、タッチパネルのタッチ操作に応じてＡＦ処理、ＡＥ処理、およびＡＷＢ（オートホワイトバランス）処理などの撮影準備動作が行われる。このため、撮影準備動作の結果を確認した後、ユーザーがピントおよび露出を自動又は手動によって再調整して撮影を行うことができない。
【０００５】
さらに、特許文献１に記載の手法では、タッチ操作（タッチダウン）によって被写体が指定されると撮像装置が撮影準備動作を行い、タッチを離す操作（タッチアップ）によって撮影を行うので、つまり、撮影準備動作によって調整されたピントおよび露出で撮影が行われる結果、ピントおよび露出の再調整を行うことができない。
【０００６】
従って、本発明の目的は、撮影前の撮影準備動作の結果に基づいて簡易に再び撮影準備動作の指示を行うことができる撮像装置、その制御方法、およびプログラム、並びに記憶媒体を提供することにある。
【課題を解決するための手段】
【０００７】
上記の目的を達成するために、本発明による撮像装置は、被写体を撮影して画像データを得る撮像手段と、前記撮像手段による撮影の際に特定の撮影設定の調整を行う撮影準備手段と、前記撮影準備手段によって調整された撮影設定に基づいて前記撮像手段による撮影を行って、当該撮影の結果として得られた画像データを記録媒体に記録する撮影処理を行う撮影処理手段と、前記画像データに応じたスルー画像が表示される表示手段に対するタッチ操作を検出可能な検出手段と、前記表示手段に表示されたスルー画像に対するタッチダウンが前記検出手段により検知されると、当該タッチダウンされた位置を含む所定の範囲の領域を拡大画像として前記表示手段に拡大して表示し、かつ前記撮影準備手段による前記撮影設定の調整のやり直しを指示するための表示アイテムを前記表示手段に表示するように制御する表示制御手段と、前記表示手段に表示されたスルー画像に対する前記タッチダウンが前記検出手段により検知されると、当該タッチダウンされた位置に応じて前記撮影準備手段による前記撮影設定の調整を行い、該タッチダウンに応じて前記表示制御手段によって表示された前記表示アイテムに対するタッチ操作に応じて、前記撮影準備手段による前記撮影設定の調整を再び行って、前記タッチダウンの後に前記タッチダウンがなくなったことが前記検出手段により検出されると、前記撮影処理手段による前記撮影処理を行うように制御する制御手段と、を有することを特徴とする。
【発明の効果】
【０００８】
本発明によれば、撮影前の撮影設定（つまり、撮影準備動作）の調整結果に基づいて簡易に再びの撮影設定の調整の指示を行うことができるので、ユーザーの撮影意図に合致した撮影が可能となる。
【図面の簡単な説明】
【０００９】
【図１】本発明の第１の実施形態による撮像装置の一例についてその外観を示す斜視図である。
【図２】図１に示すカメラの構成の一例を示すブロック図である。
【図３】図１に示すカメラにおける被写体撮影の一例を説明するための図である。
【図４】図１にカメラにおける撮影処理の一例を説明するためのフローチャートである。
【図５】図１に示すカメラにおける撮影処理の他の例を説明するためのフローチャートである。
【図６】本発明の第２の実施形態によるカメラで行われる撮影処理の一例を説明するためのフローチャートである。
【図７】本発明の第２の実施形態によるカメラで行われる撮影処理の他の例を説明するためのフローチャートである。
【発明を実施するための形態】
【００１０】
以下、本発明の実施の形態による撮像装置の一例について図面を参照して説明する。
【００１１】
［第１の実施形態］
図１は本発明の第１の実施形態による撮像装置の一例についてその外観を示す斜視図である。
【００１２】
図示の撮像装置は、所謂デジタルカメラ（以下単にカメラと呼ぶ）であり、少なくとも静止画の撮影を行うことができる。カメラ１００はその背面側に表示部２８が配置されており、この表示部２８には画像および各種情報が表示される。カメラ１００の上面には電源オンおよび電源オフを切り替える電源スイッチ７２が配置されるとともに、シャッターボタン６１が配置されている。
【００１３】
表示部２８の右側には、各種モードを切り替えるモードダイアル（モード切替スイッチともいう）６０が配置されるとともに、ユーザーからの各種操作を受け付ける操作部７０が配置されている。なお、シャッターボタン６１は操作部７０の１つである。
【００１４】
操作部７０にはユーザーからの各種操作を受け付けるための各種スイッチおよびボタンなどが備えられている。さらに、操作部７０にはコントローラーホイール１３が備えられており、このコントローラーホイール１３は回転操作に応じた指令を送出する。
【００１５】
図示の例では、カメラ１００には、カメラ１００と外部機器（図示せず）とを接続するための接続ケーブル１１１が接続されている。接続ケーブル１１１はコネクタ１１２によってカメラ１００に接続される。
【００１６】
カメラには記録媒体スロット１０１が形成されており、この記録媒体スロット１０１にはメモリカード又はハードディスクなどの記録媒体２００が収納される。記録媒体スロット１０１に記録媒体２００を収納する際には、カメラ１００に設けられた蓋部１０２を開いて、記録媒体スロット１０１に記録媒体２００を収納する。
【００１７】
図２は、図１に示すカメラ１００の構成の一例を示すブロック図である。
【００１８】
図２において、カメラ１００は撮影レンズユニット（以下単に撮影レンズと呼ぶ）１０３を備えており、撮影レンズ１０３の後段には絞り機能を備えるシャッター１０１が配置されている。そして、シャッター１０１の後側には、光学像を電気信号に変換するＣＣＤ又はＣＭＯＳ素子を有する撮像部２２が配置されている。撮像部２２の出力であるアナログ信号はＡ／Ｄ変換器２３によってデジタル信号（画像データ）に変換される。
【００１９】
なお、撮影レンズ１０３の前面側にはバリア１０２が配置されており、このバリア１０２は撮影レンズ１０３、シャッター１０１、および撮像部２２などを覆って、汚れおよび破損を防止するためのものである。
【００２０】
画像処理部２４はＡ／Ｄ変換器２３の出力である画像データ、又はメモリ制御部１５から画像データを受けて、所定の画素補間および縮小などのリサイズ処理と色変換処理とを行う。また、画像処理部２４は撮像の結果得られた画像データを用いて所定の演算処理を行う。そして、システム制御部５０は当該演算結果に基づいて露光制御および測距制御を行う。
【００２１】
これにより、ＴＴＬ（スルー・ザ・レンズ）方式のＡＦ（オートフォーカス）処理、ＡＥ（自動露出）処理、およびＥＦ（フラッシュプリ発光）処理が行われる。
【００２２】
さらに、画像処理部２４は撮像の結果得られた画像データを用いて所定の演算処理を行って、当該演算結果に基づいてＴＴＬ方式のＡＷＢ（オートホワイトバランス）処理を行う。
【００２３】
Ａ／Ｄ変換器２３からの出力である画像データは、画像処理部２４およびメモリ制御部１５を介して、或いは直接メモリ制御部１５を介して、メモリ３２に書き込まれる。メモリ３２は、所定枚数の静止画像又は所定時間の動画像および音声を格納するための十分な記憶容量を備えている。
【００２４】
図示のメモリ３２は画像表示用のメモリ（ビデオメモリ）を兼ねており、メモリに書き込まれた表示用の画像データはＤ／Ａ変換器１３を介して表示部２８に与えられて、画像として表示される。なお、表示部２８は、例えば、ＬＣＤである。
【００２５】
システム制御部５０はカメラ１００全体の制御を司る。不揮発性メモリ５６にはシステム制御部５０の動作用の定数、変数、およびプログラムなどが格納されている。このプログラムには、後述する各種フローチャートを実行するためのプログラムが含まれる。不揮発性メモリ５６は電気的に消去・記録可能なメモリであって、例えば、ＥＥＰＲＯＭが用いられる。
【００２６】
システムメモリ５２は、例えば、ＲＡＭであり、システム制御部５０は不揮発性メモリ５６から動作用の定数、変数、およびプログラムなどを読み出して、システムメモリ５２に展開する。
【００２７】
なお、メモリ３２に書き込まれた画像データは、システム制御部５０においてファイル化されて、インターフェース（Ｉ／Ｆ）１８を介して記録媒体２００に記録される。
【００２８】
前述のモード切替スイッチ６０は、例えば、システム制御部５０の動作モードを静止画撮影モード、連続撮影（連写）モード、動画モード、および再生モードのいずれかに切り替えるためのスイッチである。
【００２９】
シャッターボタン６１が操作途中（半押し：撮影準備指示）であると、第１のシャッタースイッチがオンとなって、第１のシャッタースイッチ信号ＳＷ１がシステム制御部５０に与えられる。これによって、システム制御部５０はＡＦ（オートフォーカス）処理、ＡＥ（自動露出）処理、ＡＷＢ（オートホワイトバランス）処理、およびＥＦ（フラッシュプリ発光）処理などの動作を開始する。
【００３０】
シャッターボタン６１が操作完了（全押し）になると、第２のシャッタースイッチがオンとなって、第２のシャッタースイッチ信号ＳＷ２がシステム制御部５０に与えられる。これによって、システム制御部５０は撮像部２２の信号読み出しから記録媒体２００に画像データを書き込むまでの一連の撮像処理の動作を開始する。
【００３１】
前述の操作部７０は各種ボタンおよびタッチパネルなどを有している。各種ボタンとして、例えば、消去ボタン、メニューボタン、ＳＥＴボタン、十字に配置された４方向キー、およびコネクタ１１２に接続されたプリンタ（図示せず）に対して印刷予約を行うための印刷予約ボタンがある。
【００３２】
メニューボタンが操作されると、システム制御部５０は各種設定を行うためのメニュー画面を表示部２８に表示する。ユーザーは表示部２８に表示されたメニュー画面を見て、４方向キーおよびＳＥＴボタンを用いて直感的に各種設定を行うことができる。
【００３３】
電源制御部３９は電池検出回路、ＤＣ−ＤＣコンバータ、および通電するブロックを切り替えるスイッチ回路などを備えている。そして、電源制御部３９は電池の装着の有無、電池の種類、および電池残量の検出を行う。また、電源制御部３９は上記の検出結果およびシステム制御回路５０の指示に基づいてＤＣ−ＤＣコンバータを制御して、所定の電圧を必要な期間の間記録媒体２００を含む各部に供給する。
【００３４】
電源制御部３９には電源部３０が接続されている。電池部３０はアルカリ電池又はリチウム電池などの一次電池、又はＮｉＣｄ電池、ＮｉＭＨ電池、又はＬｉ電池などの二次電池を備えるとともに、ＡＣアダプターなどを有している。
【００３５】
前述のように、表示部２８にはタッチパネル（図示せず）が備えられたおり、システム制御部50はタッチパネルに対するタッチを検出可能である。システム制御部５０はタッチパネル（つまり、表示部２８）に対する次の操作を検知する。
【００３６】
つまり、システム制御部５０はタッチパネルを指又はペンで触れる操作（タッチダウン）、タッチパネルを指又はペンで触れた状態で同一の位置に保持する操作（タッチオン）、およびタッチパネルを指又はペンで触れた状態で始めの位置から移動する操作（ムーブ）を検知する。
【００３７】
さらに、システム制御部５０は、タッチパネルを指又はペンで触れた状態から離す操作（タッチアップ）およびタッチパネルに何も触れていない状態（タッチオフ）を検知する。
【００３８】
上記の操作およびタッチパネルに指又はペンが触れている位置を示す位置座標は内部バス（図示せず）を介してタッチ情報としてシステム制御部５０に送られる。システム制御部５０はタッチ情報に基づいてタッチパネルでどの様な操作が行なわれたかについて判定する。
【００３９】
ムーブの場合には、システム制御部５０はタッチパネル上で移動する指又はペンの移動方向についても位置座標の変化に応じて、タッチパネル上の垂直成分および水平成分毎に判定する。
【００４０】
なお、タッチパネルにおいてタッチダウンから一定のムーブを経てタッチアップをした際、ストロークを描いたとする。素早くストロークを描く操作をフリックと呼ぶ。フリックは、タッチパネル上に指又はペンを触れたままある程度の距離だけ素早く動かして、そのまま離すという操作であり、言い換えると、タッチパネルを指ではじくように素早くなぞる操作である。
【００４１】
所定の距離以上かつ所定の速度以上でムーブしたことを検知して、その状態でタッチアップを検知すると、システム制御部５０はフリックが行なわれたと判定する。また、所定の距離以上かつ所定の速度未満でムーブしたことを検知すると、システム制御部５０はドラッグが行なわれたと判定する。
【００４２】
ところで、カメラ１００においては所謂中央１点ＡＦおよび顔ＡＦを用いた撮影を行うことが可能である。中央１点ＡＦとは撮影画面内の中央位置１点に対してＡＦを行うことである。顔ＡＦとは顔検出機能によって検出された顔に対してＡＦを行うことである。
【００４３】
ここで、顔検出機能について説明する。
【００４４】
システム制御部５０は顔検出対象の画像データを画像処理部２０に送る。システム制御部５０の制御下で画像処理部２０は、当該画像データに対して水平方向バンドパスフィルタ処理を行う。そして、システム制御部５０の制御下で画像処理部２０は、水平方向バンドパスフィルタ処理された画像データに垂直方向バンドパスフィルタ処理を行う。これら水平および垂直方向バンドパスフィルタ処理によって、画像データからエッジ成分が検出される。
【００４５】
その後、システム制御部５０は、検出されたエッジ成分についてパターンマッチング処理を行って、目および鼻、口、耳の候補群を抽出する。そして、システム制御部５０は、抽出された目の候補群から予め設定された条件（例えば、２つの目の距離および傾きなど）を満たす候補を、目の対と判断して目の対があるもののみ目の候補群（絞込み目の候補群）として絞り込みを行う。
【００４６】
システム制御部５０は、絞込み目の候補群とそれに対応する顔を形成する他のパーツ（鼻、口、耳）を対応づけて、予め設定した非顔条件フィルタ処理を行って顔（顔領域）を検出する。システム制御部５０は、顔の検出結果に応じて顔情報を出力して処理を終了する。この際、システム制御部５０は顔の数などの特徴量をメモリ５２に記憶する。
【００４７】
このようにして、ライブビュー表示又は再生表示される画像データを画像解析して、画像データの特徴量を抽出すれば被写体情報（ここでは、顔情報）を得ることができる。なお、ここでは、顔情報を例に挙げて説明したが、被写体情報には他にも赤目判定結果、目の検出結果、目つむり検出結果、および笑顔検出結果などの様々な情報がある。
【００４８】
上述の顔ＡＦとともに、カメラ１００では顔ＡＥ，顔ＦＥ、および顔ＷＢを行うことができる。顔ＡＥとは検出された顔の明るさに合わせて、画面全体の露出を最適化する処理である。また、顔ＦＥとは検出された顔を中心としてフラッシュの調光を行う処理である。さらに、顔ＷＢとは検出された顔の色に合わせて画面全体のＷＢを最適化する処理である。
【００４９】
次に、図１に示すカメラ１００における被写体撮影の流れを簡単に説明する。
【００５０】
図３は、図１に示すカメラ１００における被写体撮影の一例を説明するための図である。
【００５１】
撮影の際には、ユーザーは表示部２８に表示された被写体画像を目視しつつ、被写体を確認する。そして、ユーザーは表示部２８の前面に配置されたタッチパネル３０２上の被写体位置３０５をタッチして被写体を指定する。
【００５２】
システム制御部５０は、ユーザーによって指定された被写体位置３０５についてＡＦ、ＡＥ、およびＡＷＢ(自動撮影設定)などの撮影準備動作(つまり、撮影設定の調整)を行う。続いて、ユーザーは、表示部２８の一部に表示される拡大表示画像３０６を目視して撮影準備動作の結果を確認して、そのまま撮影を実行するか又は必要に応じて再び自動あるいは手動で撮影準備動作を行うかを判断する。そして、ユーザーはカメラ１００に撮影又は再び撮影準備動作を実行させる。
【００５３】
ここで、ユーザーがカメラ１００によるＡＦ結果を確認した後、再ＡＦボタン３０４を用いて被写体の撮影を行う場合について説明する。
【００５４】
図４は、図１にカメラ１００における撮影処理を説明するためのフローチャートである。このフローチャートにおける各処理はカメラ１００が撮影モードで動作の際、システム制御部５０が不揮発性メモリ５６に格納されたプログラムをシステムメモリ５２に展開して実行することによって行われる。
【００５５】
撮影処理を開始すると、システム制御部５０は、スルー画像が表示された表示部２８（タッチパネル３０２と一体的に構成されている）に対するタッチダウンがあったか否かを判定する（ステップＳ４０１）。タッチダウンがないと（ステップＳ４０１において、ＮＯ）、システム制御部５０は待機する。
【００５６】
一方、タッチダウンがあると（ステップＳ４０１において、ＹＥＳ）、システム制御部５０はタッチダウンされた位置座標をタッチ入力位置座標として取得する（ステップＳ４０２）。続いて、システム制御部５０は、タッチ入力位置座標が顔領域内であるか否かを判定する（ステップＳ４０３）。
【００５７】
タッチ入力位置座標（タッチ位置）が顔領域内であると（ステップＳ４０３において、ＹＥＳ）、システム制御部５０はタッチ位置で検出された顔領域に対してＡＦを実行する（ステップＳ４０４）。一方、タッチ位置が顔領域外であると（ステップＳ４０３において、ＮＯ）、システム制御部５０はタッチ入力位置座標（タッチ位置）から所定の範囲内の領域に対してＡＦを実行する（ステップＳ４０５）。
【００５８】
ステップＳ４０４又はＳ４０５の処理を行った後、システム制御部５０は、タッチ入力位置座標（タッチ位置）から所定の範囲内にある位置座標周辺領域に係る画像を表示部２８に拡大表示する（ステップＳ４０６）。これによって、図３に示すように、表示部２８にはスルー画像に重畳して拡大表示画像(拡大画像)３０６が表示される。
【００５９】
なお、図３に示す拡大画像３０６は、タッチ位置およびタッチ位置で指定されたフォーカス範囲（ＡＦを行った範囲）には重ならない位置に表示される。例えば、表示部２８のうち中央より左側の左側領域と中央より右側の右側領域とのうち、フォーカス位置を指定したタッチ位置から遠い側のエリアに拡大画像３０６が表示される。ここでは、左側領域がタッチされて左側領域のいずれかでＡＦが行われた場合には、右側領域に拡大画像３０６を表示する拡大表示エリアが設定される。
【００６０】
続いて、システム制御部５０は、ユーザーが再びＡＦを指示するための再ＡＦボタン３０４（図３）を表示部２８に表示する。ここでは、図３に示すように、スルー画像に重畳して再ＡＦボタン(表示アイテム又はアイテム)３０４が表示される。
【００６１】
この再ＡＦボタン３０４は、被写体位置を指定する指とは異なる指によるタッチダウン（被写体位置を指定する指をタッチした状態で他の指でタッチする所謂マルチタッチ）によって操作することができる。被写体位置を指定する指と同一の手の指で指定しやすいように、再ＡＦボタン３０４は、指定された被写体位置に隣接するか又は拡大表示画像３０６よりも被写体位置に近い位置に表示される。
【００６２】
次に、システム制御部５０はユーザーが再ＡＦボタン３０４をタッチ操作したか否かを判定する（ステップＳ４０８）。再ＡＦボタン３０４がタッチされると（ステップＳ４０８において、ＹＥＳ）、システム制御部５０は直前のＡＦ結果をキャンセルして再びＡＦ動作を実行する（ステップＳ４０９）。そして、システム制御部５０はステップＳ４０７の処理に戻る。
【００６３】
一方、所定の時間を経過しても再ＡＦボタンがタッチされないと（ステップＳ４０８において、ＮＯ）、システム制御部５０はユーザーが本撮影実行の指示を行ったか否かを判定する（ステップＳ４１０）。この本撮影実行の指示は、全ての指のタッチアップ又はシャッターボタン６１を全押しすることによって行われる。つまり、ステップＳ４１０では、システム制御部５０は全ての指がタッチアップされたか又はシャッターボタン５１が全押しされたか（前述のＳＷ２がオンとなったか）否かを判定することになる。なお、スルー画像の撮影と区別するため、ここでの撮影は本撮影と呼ぶ。
【００６４】
本撮影実行指示が行われると（ステップＳ４１０において、ＹＥＳ）、システム制御部５０は直前のＡＦ結果に基づいて本撮影を実行する（ステップＳ４１１）。本撮影においては、撮像部２２による撮像の結果得られた画像データについて静止画が生成されて、画像ファイルとして記録媒体２００に記録される。本撮影の実行後、システム制御部５０はステップＳ４０１の処理に戻って、タッチダウンがあったか否かを判定する。
【００６５】
一方、所定の時間が経過しても本撮影実行指示がないと（ステップＳ４１０において、ＮＯ）、システム制御部５０はユーザーが本撮影の中止を指示したか否かを判定する（ステップＳ４１２）。本撮影の中止指示は、例えば、表示部２８に表示されたスルー画像をタッチする指を、表示部２８において周辺部に位置する撮影中止指示領域までムーブすることによって行う。
【００６６】
ユーザーが撮影中止指示領域までムーブすると、つまり、本撮影の中止指示を行うと（ステップＳ４１２において、ＹＥＳ）、システム制御部５０は本撮影を行うことなく、つまり、本撮影を中止してステップＳ４０１の処理に戻る。一方、所定の時間が経過しても本撮影の中止指示がないと（ステップＳ４１２において、ＹＥＳ）、システム制御部５０はステップＳ４１０の処理に戻って本撮影実行指示があったか否かを判定する。
【００６７】
なお、本撮影の中止指示は上記の操作に限るものではなく、前述の特許文献１に記載されたような様々な操作がある。
【００６８】
このように、本発明の第１の実施形態では、ユーザーがＡＦ実行の結果を確認して、必要に応じて簡易な操作で再びＡＦを実行することができ、ユーザーの撮影意図に沿った被写体撮影を行うことができる。
【００６９】
そして、ユーザーは表示部２８の被写体位置をタッチした状態で、拡大画像でピントを確認しつつ再ＡＦボタンをタッチすることができる。これによって、ピントの確認が容易になり、さらにユーザーが被写体位置の指示を複数回行うという手間を省くことができる。
【００７０】
さらに、被写体位置を指示した状態で、再ＡＦの操作を行うことができる。例えば、タッチ操作（タッチダウン）によって被写体位置を指定してＡＦを実行させ、タッチを離す操作（タッチアップ）によって本撮影を実行する所謂タッチアップ撮影における操作性を改善することができる。
【００７１】
前述のように、図４で説明した撮影処理ではＡＦを実行した後、ステップＳ４０７において自動的に再ＡＦボタン３０４を表示部２８に表示している。これによって、ＡＦの結果に拘わらず、ユーザーは直ぐに再ＡＦを実行することができるようになり、シャッターチャンスを逃すことなく本撮影を行うことができる。
【００７２】
一方、ＡＦの結果が非合焦であった際に、上述の再ＡＦボタン３０４を表示部２８に表示するようにしてもよい。
【００７３】
図５は、図１に示すカメラ１００における撮影処理の他の例を説明するためのフローチャートである。なお、図５に示すフローチャートにおいて、図４に示すステップと同一の処理については同一の参照符号を付して説明を省略する。
【００７４】
図４で説明したようにして、ステップＳ４０４又はＳ４０５の処理を行った後、システム制御部５０は、直前の撮影準備動作におけるＡＦの結果が合焦であるか否かを判定する（ステップＳ５０１）。ＡＦの結果が合焦であると（ステップＳ５０１において、ＹＥＳ）、システム制御部はステップＳ４１０の処理に進んで、本撮影実行指示があったか否かを判定する。
【００７５】
一方、ＡＦの結果が非合焦であると（ステップＳ５０１において、ＮＯ）、システム制御部５０はステップＳ４０６の処理に進んで、タッチ入力位置座標から所定の範囲内にある位置座標周辺領域に係る画像を表示部２８に拡大表示する。その後、システム制御部５０はステップＳ４０７の処理に進んで、再ＡＦボタン３０４を表示部２８に表示する。
【００７６】
このように、ＡＦの結果が非合焦であった場合にのみ、再ＡＦボタン３０４を表示部２８に表示するようにしたので、合焦の際に被写体の拡大表示および再ＡＦボタンの表示によってライブビュー表示が遮られて、被写体の確認がしづらくなるという事態を回避することができる。
【００７７】
なお、上述の第１の実施形態では、再ＡＦボタン３０４がタッチされた際、一度だけ焦点検出を行うシングルＡＦを行うが、例えば、本撮影が実行されるまで、自動的にピントを合わせ続ける所謂サーボＡＦを行わせるためのサーボＡＦボタンを表示部２８に表示するようにしてもよい。ここでは、図４に示すステップＳ４０７において、表示部２８にサーボＡＦボタンが表示されることになる。
【００７８】
サーボＡＦボタンを表示するようにすれば、例えば、動きのある被写体の撮影の際にユーザーが再ＡＦを繰り返すという手間を省くことができる。
【００７９】
また、第１の実施形態においては、ＡＦの再調整を行う場合について説明したが、再調整の対象となる撮影準備動作としてＡＥ又はＡＷＢを行うようにしてもよい。
【００８０】
［第２の実施形態］
次に、本発明の第２の実施形態によるカメラの一例について説明する。なお、第２の実施形態によるカメラの構成は図１および図２に示すカメラと同様である。そして、第２の実施形態では、ユーザーがＡＦの結果を確認した後、ピントを手動調整して本撮影を行う場合について説明する。
【００８１】
図６は、本発明の第２の実施形態によるカメラで行われる撮影処理の一例を説明するためのフローチャートである。図６に示すフローチャートにおける処理はカメラ１００が撮影モードで動作の際に、システム制御部５０が不揮発性メモリ５６に格納されたプログラムをシステムメモリ５２に展開して実行することにより行われる。
【００８２】
なお、図６に示すフローチャートにおいて、図４に示すステップと同一の処理については同一の参照符号を付して説明を省略する。
【００８３】
図４で説明したようにして、ステップＳ４０４又はＳ４０５の処理を行った後、システム制御部５０は、ステップＳ４０６でタッチ入力位置座標から所定の範囲内にある位置座標周辺領域に係る画像を表示部２８に拡大表示する。続いて、システム制御部５０は、表示部２８にユーザーがＭＦ（マニュアルフォーカス）調整を行うためのＭＦ調整バーを表示する（ステップＳ６０１）。
【００８４】
このＭＦ調整バーは、例えば、図３に示す再ＡＦボタン３０４と同様の位置に表示される。つまり、ＭＦ調整バーはタッチ入力位置座標と拡大画像が表示される表示領域を除く領域に表示される。
【００８５】
次に、システム制御部５０はユーザーがＭＦ調整バーをタッチ操作したか否かを判定する（ステップＳ６０２）。ＭＦ調整バーがタッチ操作されると（ステップＳ６０２において、ＹＥＳ）、システム制御部５０は直前のＡＦ結果をキャンセルして、ＭＦ調整モードに移行する。そして、システム制御部５０はユーザーによるＭＦ調整バーの操作に応じてＭＦ調整を実行する（ステップＳ６０３）。ＭＦ調整の後、システム制御部５０はステップＳ６０１の処理に戻って、再び表示部２８にＭＦ調整バーを表示する。
【００８６】
予め設定された時間が経過しても、ユーザーがＭＦ調整バーをタッチ操作しないと（ステップＳ６０２において、ＮＯ）、システム制御部５０は、図４で説明したステップＳ４１０の処理に進んで、本撮影実行指示があったか否かを判定する。
【００８７】
このように、本発明の第２の実施形態では、ユーザーがＡＦ結果を確認して、当該確認の結果、必要に応じて本撮影の前にＭＦ調整を行うことができる。よって、ユーザーの撮影意図に沿った被写の体撮影を行うことができる。
【００８８】
さらに、ユーザーは表示部２８の被写体位置をタッチした状態で、拡大画像でピントを確認しつつＭＦ調整バーをタッチすることができる。これによって、ピントの確認が容易になり、さらにユーザーが被写体位置の指示を複数回行うという手間を省くことができる。さらに、被写体位置を指示した状態で、ＭＦ調整のための操作を行うことができる。例えば、タッチ操作（タッチダウン）によって被写体位置を指定してＡＦを実行させた後、ＭＦ調整バーをタッチ操作すれば本撮影を実行する前に容易にＭＦ調整を行うことができる。
【００８９】
ところで、図６に示すフローチャートでは、ＡＦが行われた後、自動的にＭＦ調整バーが表示部２８に表示される。このため、ユーザーは必要に応じてＭＦ調整を行うことができ、シャッターチャンスを逃すことなく本撮影を実行することができる。
【００９０】
一方、ＡＦの結果が非合焦であった際に、上述のＭＦ調整バーを表示部２８に表示するようにしてもよい。
【００９１】
図７は、本発明の第２の実施形態によるカメラで行われる撮影処理の他の例を説明するためのフローチャートである。なお、図７に示すフローチャートにおいて、図４〜図６に示すステップと同一の処理については同一の参照符号を付して説明を省略する。
【００９２】
図５で説明したように、ステップＳ４０４又はＳ４０５の後、システム制御部５０は、ステップＳ５０１において直前の撮影準備動作におけるＡＦの結果が合焦であるか否かを判定する。ＡＦの結果が合焦であれば、システム制御部はステップＳ４１０の処理に進んで、本撮影実行指示があったか否かを判定することになる。
【００９３】
一方、ＡＦの結果が非合焦であると、システム制御部５０はステップＳ４０６の処理に進んで、タッチ入力位置座標から所定の範囲内にある位置座標周辺領域に係る画像を表示部２８に拡大表示する。その後、システム制御部５０はステップＳ６０１の処理に進んで、ＭＦ調整バーを表示部２８に表示し、ステップＳ６０２でユーザーがＭＦ調整バーをタッチ操作したか否かを判定することになる。
【００９４】
このように、ＡＦの結果が非合焦であった場合にのみ、ＭＦ調整バーを表示部２８に表示するようにしたので、合焦の際に被写体の拡大表示およびＭＦ調整バーの表示によってライブビュー表示が遮られて、被写体の確認がしづらくなるという事態を回避することができる。
【００９５】
なお、第２の実施形態においては、ＭＦ調整を行う場合について説明したが、マニュアル調整の対象となる撮影準備動作として露出調整又はホワイトバランス調整を行うようにしてもよい。
【００９６】
上述の説明から明らかなように、図２に示す例では、少なくとも撮影レンズ１０３、シャッター１０１、撮像部２２、およびＡ／Ｄ変換器２３が撮像手段を構成する。また、画像処理部２４、メモリ制御部１５、およびシステム制御部５０は撮影準備手段、撮影処理手段、検出手段、表示制御手段、および制御手段として機能することになる。
【００９７】
以上、本発明の好ましい実施形態について説明したが、本発明はこれらの実施形態に限定されず、その要旨の範囲内で種々の変形及び変更が可能である。
【００９８】
なお、上述のシステム制御部５０による制御は１つのハードウェアが行ってもよいし、複数のハードウェアが処理を分担することで、装置全体の制御を行ってもよい。
【００９９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１００】
また、上述した実施形態においては、本発明をデジタルカメラに適用した場合を例に挙げて説明したが、この例に限定されず、撮像手段を有する電子機器であれば適用可能である。例えば、本発明は携帯電話端末などのカメラが付属する各種端末機器に適用することができる。
【０１０１】
［他の実施形態］
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【０１０２】
１５  メモリ制御部
２２  撮像部
２４  画像処理部
２８  表示部
５０  システム制御部
６０  モード切替スイッチ
６１  シャッターボタン
７０  操作部
７２  電源スイッチ
８０  電源制御部
【図１】
2014110596.tif 000003
【図２】
2014110596.tif 000004
【図３】
2014110596.tif 000005
【図４】
2014110596.tif 000006
【図５】
2014110596.tif 000007
【図６】
2014110596.tif 000008
【図７】
2014110596.tif 000009